(57)【特許請求の範囲】
【請求項１】
多数の微細貫通孔が全面に配列された通気性の合成樹脂製フィルムを、上端に開口部を有し下端に底部を有する下広がりの袋体に形成してなり、膨張させたときの前記開口部の内径が、前記底部の最少内径より小さく、前記開口部に着脱可能なスカート状本体部と、スカート状本体部から上方へ突出して形成された鉤状係止部とで構成された補強機能を有するフック部材を前記開口部に取り付けた栽培用容器。
【請求項２】
前記フィルムとして遮光性フィルムを用いた請求項１記載の栽培用容器。
【発明の詳細な説明】
【０００１】
【発明の属する技術分野】
本発明は、芋類、根菜類、落花生などの植物を地面より高い位置で栽培するのに適した栽培用容器に関する。
【０００２】
【従来の技術】
芋類や根菜類などの農作物は、栽培地の地表面に形成した畝に沿って苗を植えて生育させる、いわゆる土耕栽培によって栽培されている。土耕栽培においては、植付けから収穫に至るまでの一連の作業は中腰やしゃがんだ姿勢での作業が多く、特に収穫時は作物の掘り出しなどの重労働を伴うため、作業者の肉体的負担は非常に大きなものとなっている。
【０００３】
そこで、このような労働条件を改善するため、図７（ａ），（ｂ）に示すような栽培装置、栽培用容器が提案されている。図７（ａ）に示す栽培装置７０は特開平２−３１２５２４号公報に開示されたものであり、地上空間において、底面に穴部７１を設けた受皿部７２を支持部７３に略水平に設置し、受皿部７２の底面の穴部７１に、下方に向かって突出する筒状体７４を分離可能に接続し、受皿部７２および筒状体７４の内部に培養土７５などを充填し、受皿部７２に植え付けられた根菜類７６の根部７７を筒状体７４内で成長させるものである。
【０００４】
図７（ｂ）に示す栽培用容器９０は特開平６−１６９６４５号公報に開示されたものであり、複数の栽培用容器９０を架台９１に吊り下げ、これらの栽培用容器９０に充填された培土９２で牛蒡などの根菜類を栽培する。栽培用容器９０は合成樹脂製の組立式容器であり、複数条の溝を平行に形成した凹凸板９３と平板９４とを互いに着脱可能に装着し、凹凸板９３と平板９４との間に培土９２を入れる空間９５を形成したものである。
【０００５】
このような栽培装置７０、栽培用容器９０を用いて根菜類の栽培を行えば、栽培期間中に必要な作業のほとんどを立ち作業化することが可能となり、収穫作業も簡易化され、栽培作業全般の効率化、労働条件の改善を図ることができる。
【０００６】
【発明が解決しようとする課題】
図７（ａ）に示す栽培装置７０においては、複数の筒状体７４を地面より高い位置に保持する手段として支持部７３、受皿部７２などが設けられているが、根菜類７６の苗や培養土７５などを収容した筒状体７４などの重量がかなり重いので、これらを支える支持部７３、受皿部７２などを頑丈にする必要があり、各部材の肥大化、全体重量の増大を招いている。このような部材の肥大化、全体重量の増大は、栽培装置７０の構成部材を栽培地まで運搬する際の負担を増大させるだけでなく、設置作業の負担も増大させている。
【０００７】
また、筒状体７４は繰り返し使用を前提とした比較的丈夫な構造であるため、根菜類などを栽培した場合、収穫時には、筒状体７４から培養土７５などとともに根菜類７６の根部７７を引き抜かなければ作物を採取できず、収穫作業に多くの労力と時間を要する。
【０００８】
さらに、栽培期間終了後、栽培装置７０を解体、撤収する必要がある場合、これらの作業の負担も大きく、撤収した各種部材の保管にも大きなスペースが必要である。
【０００９】
図７（ｂ）に示す栽培用容器９０においては、図７（ａ）に示す栽培装置７０と同様、複数の栽培用容器９０を地面より高い位置に保持する手段として、支柱９６や桟木９７などで形成された架台９１および桟木９７間に横架された移動枠９８など多くの部材が必要であり、これらの部材の栽培地までの搬入や組立作業だけでなく、栽培期間終了後の解体、撤収作業に多くの労力と時間が費やされ、撤収した各種部材の保管にも大きなスペースが必要である。
【００１０】
さらに、栽培装置７０、栽培用容器９０に共通する問題として、筒状体７４や空間９５の配列間隔は、穴部７１の間隔や凹凸板９３の波のピッチで決定されており、これらを変えない限り不変であるため、栽培する作物の種類に応じて臨機応変に株間距離を設定したり、成長状況に合わせて徐々に株間距離を変更していくことなどは困難である。
【００１１】
また、栽培装置７０を構成する筒状体７４や栽培用容器９０の空間９５は、牛蒡や大根などの縦長の根菜類が成長するのに適した形状であるが、これらの形状は植物根全体の伸長領域と必ずしも一致していないので、これらを用いて根菜類を栽培した場合、収穫物の成長に必要不可欠な苗そのものが充分に生育しないことがある。さらに、栽培装置７０や栽培用容器９０は、根菜類と同様、収穫作業に多大な時間と労力が費やされている芋類の栽培には不適である。
【００１２】
本発明が解決しようとする課題は、植物の生育状態が活性化され、芋類や根菜類などの収穫作業を簡略化することが可能であり、高設栽培装置の構成部材として使用した場合の運搬、組み立て、撤収作業などの負担軽減および保管スペースの削減を図ることができる栽培用容器を提供することにある。
【００１３】
【課題を解決するための手段】
本発明の栽培用容器は、多数の微細貫通孔が全面に配列された通気性の合成樹脂製フィルムを、上端に開口部を有し下端に底部を有する下広がりの袋体に形成してなり、膨張させたときの前記開口部の内径が、前記底部の最少内径より小さく、前記開口部に着脱可能なスカート状本体部と、スカート状本体部から上方へ突出して形成された鉤状係止部とで構成された補強機能を有するフック部材を前記開口部に取り付けたことを特徴とする。このような構成とすることにより、開口部から培土を充填すると当該栽培用容器は膨張してほぼ円錐台形状となるため、開口部に露出する培土部分に播種または定植を行って植物栽培を行うことができ、植物の根はほぼ円錐台形状の培土中で、本来の生育形態である、いわゆる末広がり状に伸長していくことができるため、養分や水分の吸収性が向上し、植物の生育が活性化される。したがって、土中で縦長に成長する根菜類だけでなく、複数個が下広がり状に分布して成長する芋類の栽培にも適しており、生育状態が活性化され、収穫量増大を図ることができる。
【００１４】
また、土中に収穫物が実る芋類、根菜類、落花生などを栽培した場合の収穫物の生育領域を充分に広く確保することができるので、収穫量増大を図ることができ、収穫時には、栽培用容器を構成する合成樹脂製フィルムをカッターナイフなどで切り裂くだけで、培土中の芋類などを取り出すことができるので、収穫作業を簡略化することができる。
【００１５】
また、本発明の栽培用容器は薄くて軽量の合成樹脂性フィルムで形成されているため、当該栽培用容器を地面上に載置し、高設栽培装置の構成部材として使用した場合、運搬、組み立て、撤収作業などの負担を軽減し、保管スペースも削減することができる。また、栽培用容器の配列間隔は任意に変更できるため、栽培作物の種類に応じて臨機応変に株間距離を設定したり、成長状況に合わせて徐々に株間距離を変化させることなども可能である。
【００１６】
また、袋体の上部に、補強機能を有するフック部材を設けることにより、当該栽培用容器を用いて高設栽培装置を形成する際の組み立て性、使用中の安定性などが向上する。なお、フック部材としては、袋体の上部に着脱可能なスカート状本体部と、前記スカート状本体部から突出して形成された鉤状係止部とを備えたものなどが好適である。
【００１７】
栽培用容器を構成する合成樹脂製フィルムとしては、ポリエチレン、ポリエチレンテレフタレート、ポリプロピレン、ナイロンなどのフィルムが好適であり、これらのフィルムを積層したラミネートフィルムを用いることもできる。そのほか、微生物や紫外線により分解する分解性フィルムを使用することもできる。また、フィルムとして通気性フィルムを用いることにより、植物の生育に適した通気性、排水性を確保できるので、充填された培土に植えられた植物の生育を促進させることができる。なお、通気性フィルムとしては、多数の微小貫通孔が全面にまたは部分的に配列された多孔フィルム、微細な繊維で形成された織物状フィルムや不織布状フィルム、あるいはこれらを重ね合わせた複合フィルムなどが好適である。
【００１８】
また、フィルムとして遮光性フィルムを用いることにより、栽培用容器に充填された培土に太陽光が照射するのを防止できるので、根の生育向上を図ることができる。この場合、遮光性フィルムとして黒色フィルムなどを用いれば、遮光性のみでなく、熱吸収率も高まるので、培土の加温効果も得ることができる。
【００１９】
【発明の実施の形態】
図１は本発明の第１実施形態の栽培用容器を示す斜視図、図２は図１の栽培用容器の使用状態を示す斜視図、図３は図１の栽培用容器の使用状態を示す一部切欠斜視図、図４は図１の栽培用容器の使用状態を示す斜視図である。
【００２０】
本実施形態の栽培用容器１０は、図１に示すように、多数の微細貫通孔１１が全面に配列されたポリエチレン製のフィルム１２を、上端に開口部１３を有し下端に底部１４を有する下広がりの袋体に形成してなるものであり、膨張させたときの開口部１３の内径ｒが、底部１４の最小内径Ｒより小さくなっている。
【００２１】
袋体の上部に相当する栽培用容器１０の開口部１３には、フック部材１５が取り付けられるが、このフック部材１５は、開口部１３内に着脱可能なスカート状本体部１５ａと、スカート状本体部１５ａから上方へ突出して形成された鉤状係止部１５ｂとで構成されている。
【００２２】
栽培用容器１０は、図２に示すように、開口部１３にフック部材１５を取り付けて、内部に培土１６を充填した後、栽培用容器１０の底部１４を地面１７に載置するとともに、地面１７上に水平に張設した保持ワイヤ１８に、フック部材１５の鉤状係止部１５ｂを引っ掛けることによって、栽培用容器１０全体を起立状態に保持することができ、開口部１３に露出した培土１６に播種または定植することにより、様々な植物Ｐを栽培することができる。
【００２３】
前述したように、栽培用容器１０の開口部１３の内径ｒは、底部１４の最小内径Ｒより小さいので、図３に示すように、培土１６を充填して膨張したときの形状は下方に向かって膨らんだほぼ円錐台形状となる。したがって、図２に示すように、栽培用容器１０を地面１７上に載置して高設栽培装置の一部として使用する際の安定性も良好である。また、フィルム１２の微細貫通孔１１を通して空気、水蒸気、水分が移動できるので、培土１６の通気性、排水性を確保することができ、植物Ｐの栽培に適した環境となり、植物Ｐの生育状態も良好となる。
【００２４】
図３に示すように、栽培用容器１０を用いて、培土１６中に収穫物が実る芋類の一つである馬鈴薯苗１９を栽培した場合、植物の根本来の生育形態に等しい、いわゆる末広がり状に充填されている培土１６中において、根１９ｒの伸長領域および収穫物である馬鈴薯１９ａ（図４参照）の生育領域を充分に広く確保することができるため、馬鈴薯苗１９および馬鈴薯１９ａの生育状態が活性化され、収穫量増大を図ることができる。
【００２５】
馬鈴薯苗１９の成長が終わり、収穫時期が到来したら、図４に示すように、栽培用容器１０を構成するフィルム１２をカッタナイフＣで切り裂けば、培土１６中の馬鈴薯１９ａを容易に取り出すことができるので、収穫作業を大幅に簡略化することができ、馬鈴薯１９ａの損傷も防止できる。また、栽培用容器１０で馬鈴薯以外の芋類、根菜類、落花生などを栽培した場合も同様に収穫作業を簡略化することができる。
【００２６】
さらに、栽培用容器１０は、薄くて軽量のフィルム１２で形成されているため、図２に示したように、複数の栽培用容器１２を地面上に載置し、高設栽培装置の構成部材として使用する場合でも、運搬、組み立て、撤収作業などの負担を軽減し、保管スペースも削減することができる。また、前述の図２において、栽培用容器１０の配列間隔は任意に変更できるため、栽培する作物の種類に応じて臨機応変に株間距離を設定したり、成長状況に合わせて徐々に株間距離を変化させることなども可能である。なお、栽培用容器１０の開口部１３に、補強機能を有するフック部材１５を設けているため、図２に示す高設栽培装置を形成する際の組み立て性、使用中の安定性なども良好である。
【００２７】
また、栽培用容器１０を構成するフィルム１２は、遮光性を有する黒色フィルムであるため、栽培用容器１０に充填された培土１６に太陽光が照射するのを防止して根の生育向上を図ることができ、熱吸収率も高いので、培土１６の加温効果も得ることができる。
【００２８】
なお、栽培用容器１０においては多数の微細貫通孔１１がフィルム１２の全面に配列されているが、これらに限定するものではないので、栽培する植物の種類、性質、根の特性、栽培方法（ハウス栽培または露地栽培）、潅水器具の種類、潅水・栽培計画・作型（促成型または抑制型）などに応じて、微細貫通孔１１を部分的に配列したものとすることもできる。また、栽培用容器１０は、芋類、根菜類、落花生など、培土中に収穫物が形成される植物の栽培に適しているが、これらの用途に限定するものではなく、ほぼ円錐台形状に充填される培土はあらゆる植物の生育に適しているので、様々な分野の植物栽培に好適に使用することができる。
【００２９】
次に、図５を参照して、本発明の第２実施形態である栽培用容器２０について説明する。なお、図５において前述の栽培用容器１０と同じ機能、効果を発揮する部分については図１〜図４と同じ符号を付して説明を省略する。
【００３０】
本実施形態の栽培用容器２０は、ポリエチレンテレフタレート製の非通気性フィルム２１を用いて、栽培用容器１０と同形状に形成したものであり、開口部２２から培土１６を充填すると栽培用容器２０は膨張してほぼ円錐台形状となるため、開口部２２に露出する培土部分に播種または定植を行って植物Ｐの栽培を行うことができる。
【００３１】
フィルム２１は非通気性であるため、充填された培土１６を高湿状態に保持することが可能であり、比較的高湿を好む種類の植物の栽培に好適である。なお、複数の貫通孔２３が底部に開設されているため、植物の生育に必要な程度の培土１６の排水性は確保されている。
【００３２】
このように、栽培用容器２０は、栽培用容器１０と比べると、保湿性、保水性が良いので、培土１６の代わりにおが屑などを充填すれば、きのこ類の栽培用容器として使用することも可能である。その他の機能、効果などについては、栽培用容器１０と同様である。
【００３３】
次に、図６を参照して、本発明の第３実施形態である栽培用容器３０について説明する。なお、図６において前述の栽培用容器１０と同じ機能、効果を発揮する部分については図１〜図４と同じ符号を付して説明を省略する。
【００３４】
本実施形態の栽培用容器３０は、微細なポリプロピレン繊維で形成された柔軟な織物状の通気性フィルム３１を用いて、栽培用容器１０と同形状に形成したものであり、開口部３２から培土１６を充填して栽培用容器３０を略円錐台形状に膨張させれば、開口部３２の培土部分で植物Ｐを栽培できる。
【００３５】
通気性フィルム３１はその全面が通気性を有しており、培土１６と大気との間で水蒸気や空気が自由に移動できるため、充填された培土１６は常に植物Ｐの栽培に最適な状況に保持され、生育状態も良好となる。また、通気性フィルム３１には貫通孔がないので、充填されている培土が流出するおそれもない。その他の機能、効果などについては、栽培用容器１０と同様である。
【００３６】
【発明の効果】
本発明により、以下に示す効果を奏する。
【００３７】
（１）合成樹脂製フィルムを下広がりの袋体に形成したことにより、ほぼ円錐台形状に充填された培土で植物栽培できるため、植物の生育状態が活性化され、芋類や根菜類などの収穫作業を簡略化することが可能であり、高設栽培装置の構成部材として使用した場合の運搬、組み立て、撤収作業などの負担軽減および保管スペースの削減を図ることができ、栽培期間中の株間距離の変更も可能となる。
【００３８】
（２）袋体の上部に、補強機能を有するフック部材を設けることにより、栽培用容器を用いて高設栽培装置を形成する際の組み立て性、使用中の安定性などが向上する。
【００３９】
（３）栽培用容器を構成するフィルムとして通気性フィルムを用いることにより、植物の生育に適した通気性、排水性を確保できるので、充填された培土に植えられた植物の生育を促進させることができる。
【００４０】
（４）栽培用容器を構成するフィルムとして遮光性フィルムを用いることにより、栽培用容器に充填された培土への太陽光照射を防止できるので、根の生育向上を図ることができる。
【図面の簡単な説明】
【図１】本発明の第１実施形態の栽培用容器を示す斜視図である。
【図２】図１の栽培用容器の使用状態を示す斜視図である。
【図３】図１の栽培用容器の使用状態を示す一部切欠斜視図である。
【図４】図１の栽培用容器の使用状態を示す斜視図である。
【図５】第２実施形態の栽培用容器を示す一部切欠側面図である。
【図６】第３実施形態の栽培用容器を示す一部切欠側面図である。
【図７】従来の栽培装置および栽培用容器の使用状態を示す図である。
【符号の説明】
１０，２０，３０  栽培用容器
１１  微細貫通孔
１２  フィルム
１３，２２，３２  開口部
１４  底部
１５  フック部材
１５ａ  スカート状本体部
１５ｂ  鉤状係止部
１６  培土
１７  地面
１８  保持ワイヤ
１９  馬鈴薯苗
１９ａ  馬鈴薯
１９ｒ  根
２１  非通気性フィルム
２３  貫通孔
３１  通気性フィルム
Ｃ  カッタナイフ
Ｐ  植物
【図１】
0003578713.tif 000002
【図２】
0003578713.tif 000003
【図３】
0003578713.tif 000004
【図４】
0003578713.tif 000005
【図５】
0003578713.tif 000006
【図６】
0003578713.tif 000007
【図７】
0003578713.tif 000008